(57)【要約】【課題】電力ピーク時間帯の消費電力を抑える冷蔵庫を提供する。【解決手段】実施形態の冷蔵庫は、時刻を計時する計時部と、前記計時部が計時している時刻に基づき冷蔵庫の運転を制御する制御部と、一定時間間隔で氷を作る製氷装置と、貯蔵空間を冷却する冷気を発生させる蒸発器を備える冷蔵庫であって、前記制御部が、電力ピーク時間帯を除く時間帯に前記蒸発器の除霜を行い、かつ、前記電力ピーク時間帯の前に前記一定時間間隔よりも短い時間間隔で前記製氷装置により製氷するよう制御する。【選択図】図３
2014037919.tif 000002
【特許請求の範囲】
【請求項１】
時刻を計時する計時部と、前記計時部が計時している時刻に基づき冷蔵庫の運転を制御する制御部と、一定時間間隔で氷を作る製氷装置と、貯蔵空間を冷却する冷気を発生させる蒸発器を備える冷蔵庫であって、前記制御部が、電力ピーク時間帯を除く時間帯に前記蒸発器の除霜を行い、かつ、前記電力ピーク時間帯の前に前記一定時間間隔よりも短い時間間隔で前記製氷装置により製氷するよう制御する冷蔵庫。
【請求項２】
前記製氷した氷が前記貯蔵空間を冷却する請求項１に記載の冷蔵庫。
【請求項３】
前記制御部が、前記電力ピーク時間帯にも前記製氷装置が製氷するよう制御する請求項１又は２に記載の冷蔵庫。
【請求項４】
前記貯蔵空間内にミストを発生させるミスト発生装置を備え、前記制御部が、前記電力ピーク時間帯にも前記ミスト発生装置によりミストが発生されるよう制御する請求項１〜３のいずれか１項に記載の冷蔵庫。
【請求項５】
操作パネルにパネル照明を備え、前記制御部が、深夜時間帯に前記パネル照明を消灯するよう制御する請求項１〜４のいずれか１項に記載の冷蔵庫。
【請求項６】
前記冷蔵庫の本体の外面に庫外照明を備え、前記制御部が、前記深夜時間帯に前記庫外照明を点灯するよう制御する請求項１〜５のいずれか１項に記載の冷蔵庫。
【請求項７】
前記製氷した氷と異なる蓄冷手段を備える請求項１〜６のいずれか１項に記載の冷蔵庫。
【請求項８】
前記製氷した氷又は前記蓄冷手段が保持手段により保持される請求項６に記載の冷蔵庫。
【発明の詳細な説明】
【技術分野】
【０００１】
本発明の実施形態は、冷蔵庫に関する。
【背景技術】
【０００２】
季節と時間帯によっては、電力使用率、すなわち電力会社の最大供給能力に対するその電力会社の管轄エリア内の電力使用量が、１００％に近づくことが懸念されている。電力使用率が１００％に近づくと大規模停電が起こる可能性がある。そのためその季節及び時間帯には冷蔵庫の消費電力を抑え、電力使用率の低減に貢献することが望ましい。
【０００３】
また、電力使用率の高い時間帯（以下、電力ピーク時間帯）の電気料金を高くする料金プランもあり、このような料金プランが適用される家庭では、電力ピーク時間帯の冷蔵庫の消費電力を抑えることが家計上望ましい。
【０００４】
ところで、従来の冷蔵庫では、圧縮機の積算稼働時間が一定時間となった場合に除霜を開始する。そのため、除霜が時刻と無関係に実施されるので、電力ピーク高い時間帯でも除霜が実施され得るので、消費電力が増加する。
【先行技術文献】
【特許文献】
【０００５】
【特許文献１】特開２００７−２４００２７号公報
【発明の概要】
【発明が解決しようとする課題】
【０００６】
本発明が解決しようとする課題は、電力ピーク時間帯の消費電力を抑える冷蔵庫を提供することである。
【課題を解決するための手段】
【０００７】
実施形態の冷蔵庫は、時刻を計時する計時部と、前記計時部が計時している時刻に基づき冷蔵庫の運転を制御する制御部と、一定時間間隔で氷を作る製氷装置と、貯蔵空間を冷却する冷気を発生させる蒸発器を備える冷蔵庫であって、前記制御部が、電力ピーク時間帯を除く時間帯に前記蒸発器の除霜を行い、かつ、前記電力ピーク時間帯の前に前記一定時間間隔よりも短い時間間隔で前記製氷装置により製氷するよう制御することを特徴とする。
【図面の簡単な説明】
【０００８】
【図１】実施形態の冷蔵庫の断面図。
【図２】除霜時の庫内温度と圧縮機の回転数の関係を示す図。
【図３】実施形態の冷蔵庫の制御ブロック図。
【図４】実施形態の除霜実施時のフローチャート。
【図５】変更例４の箱状容器を棚に保持した冷蔵庫の断面図。
【発明を実施するための形態】
【０００９】
以下、本実施形態の冷蔵庫１００について、図面に基づいて説明する。
【００１０】
（１）冷蔵庫１００の構造
まず、本実施形態の冷蔵庫１００の構造について説明する。
【００１１】
本実施形態に係る冷蔵庫１００は、図１に示すように、外郭を形成する外箱と貯蔵空間を形成する内箱との間に発泡断熱材を充填した断熱箱体からなる冷蔵庫本体１を備え、貯蔵空間を断熱仕切壁５によって上方の冷蔵空間６と下方の冷凍空間７とに区画している。冷蔵空間６は、冷蔵温度（例えば、１〜５℃）に冷却される空間であって、内部に載置棚９等が設けられた冷蔵室１０等からなる。冷凍空間７は、冷凍温度（例えば、−１８〜−２５℃）に冷却される空間であって、比較的小容積の自動製氷機を備えた製氷室１６と図示しない小型冷凍室とが冷蔵庫１００の正面から見て左右に併設され、その下方に冷凍室１７が設けられている。
【００１２】
冷蔵室１０の開口部は、冷蔵庫本体１の一側部の上下に設けられたヒンジにより回動自在に枢支された冷蔵室扉８により閉塞されている。製氷室１６、小型冷凍室、冷凍室１７の開口部は、それぞれ引き出し式の製氷室扉１９、小型冷凍室扉、冷凍室扉１８により閉塞されている。これら引き出し式扉の裏面側には収納容器が保持されており、開扉動作とともに庫外に引き出される。
【００１３】
冷凍空間７の背面下部にある機械室３１には、圧縮機３０と凝縮器（図示せず）と圧縮機３０を冷やす放熱ファン（図示せず）が収納されている。また、冷凍空間７の背面にある冷凍用蒸発器室２７には、冷凍用蒸発器２８と、冷凍用蒸発器２８で発生した冷気を冷凍空間へ送る冷凍用ファン２９と、後述する除霜を行う除霜ヒータ３３が収納されている。また、冷蔵空間６の背面にある冷蔵用蒸発器室２２には、冷蔵用蒸発器２３と、冷蔵用蒸発器２３で発生した冷気を冷蔵空間へ送る冷蔵用ファン２４と、後述する除霜を行う除霜ヒータ３２が収納されている。
【００１４】
冷蔵庫１００の冷却サイクルは、図示しない凝縮器と絞り装置が連結され、絞り装置が冷凍用蒸発器２８及び冷蔵用蒸発器２３に連結され、冷凍用蒸発器２８及び冷蔵用蒸発器２３が圧縮機３０に連結されて、構成されている。
【００１５】
また、本実施形態の冷蔵庫１００は、ミスト発生装置を備える。ミスト発生装置は、冷蔵空間１０の一画に設けられた図示しない給水タンクの水に高電圧をかけて帯電した微粒子のミストを発生させ、冷蔵空間１０内へ放出する。該ミストにより冷蔵空間１０内のカビの抑制や脱臭、貯蔵物の傷み防止等の効果を得られる。
【００１６】
また、本実施形態の冷蔵庫１００は、冷蔵庫１００の足元を照らす庫外照明３５を、冷蔵庫本体１の最下部の前側に備える。具体的には、冷蔵庫本体１の下部にＬＥＤ基板３４が設けられ、ＬＥＤ基板３４に庫外照明の役割を果たすＬＥＤ３５が接続されている。ＬＥＤ基板３４を通じてＬＥＤ３５に通電されると、ＬＥＤ３５が発光してその周囲を照らす。庫外照明（ＬＥＤ３５）は、冷蔵庫１００の使用環境に応じて冷蔵庫１００の足元以外の場所を照らすものであっても良く、そのために適した場所に設けられていれば良い。
【００１７】
また、本実施形態の冷蔵庫１００は、冷蔵室扉６の前面に、操作パネル４１を備える。操作パネル４１は、冷蔵庫１００に制御方法等を指示する操作ボタン４２等の操作手段や冷蔵庫１００の運転状況等を表示する表示手段を備える。操作パネル４１の一部はパネル照明により他の部分よりも高い照度で明示される。例えば、表示手段の文字部分を明るく見せるために、操作パネル４１の表面板の裏側にパネル照明、例えばＬＥＤを配置する。また表面板の文字部分を半透明にする。そしてＬＥＤに通電してこれを発光させると、表面板の表側からは文字が光って明るく見える。
【００１８】
本実施形態の冷蔵庫１００は、操作パネル４１に、操作マイコンからなる操作部３８を備える。図３に示すように、操作部３８は、制御マイコンを備える制御部３９との間で通信を行っている。操作部３９は、時刻を計時する計時部４３や、外部電源から電力が供給されなくなった時の電源となる電池４４、操作ボタン４２等と接続されている。計時部４３は現在時刻を刻み続けており、その時刻の情報は操作部３８を通して制御部３９へ伝達される。制御部３９は計時部４３からの時刻の情報に基づき冷蔵庫１００を制御する。計時部４３として、例えばＲＴＣ（リアルタイムクロック）が用いられる。ＲＴＣが用いられる場合は、操作部３８にＲＴＣが内蔵されていても良い。
【００１９】
操作ボタン４２等から入力された使用者の指示は操作部３８に伝達され、さらに操作部３８から制御部３９へ伝達される。制御部３９は伝達された指示に基づき冷蔵庫１００を制御する。例えば、冷蔵庫１００全体の消費電力を落とす節電モードでの運転を行うように、使用者が操作パネル４１の操作ボタン４２を押して指示すると、その指示が制御部３９へ伝達される。指示を受けた制御部３９は、圧縮機３０の回転数を抑える等して節電モードでの運転を実施する。また制御部３９による制御状況が操作部３８に伝達され、操作パネル４１の表示手段に表示される。
【００２０】
また、本実施形態の冷蔵庫１００は、製氷装置５０を備える。製氷装置５０は、冷蔵室１０内に設けられた給水タンク５１と、製氷室１６内の上部に設けられた複数の製氷ブロックに区画された製氷皿５２と、給水タンク５１内の水を製氷皿５２へ送る給水ポンプ５３とを備える。
【００２１】
また、本実施形態の冷蔵庫１００は、冷蔵空間６内に、氷６４等の蓄冷手段を収納できる収納空間を備える。具体的には、給水タンク５１の上方に氷６４等の蓄冷手段を載せることができる棚６０を備える。棚６０は水平な平板である。棚６０の前部付近に冷蔵庫１００の幅方向に平行に延びる２つの突起６１、６１が形成されている。そして突起６１、６１の間に保持プレート６２が嵌められている。棚６０、突起６１、保持プレート６２が蓄冷手段の収納空間を形成している。図１に示すように、製氷装置５０で製氷した氷６４を棚６０に載せた場合、保持プレート６２がこの氷６４を蓄冷手段棚６０上に保持する保持手段としての役割を果たす。そして、棚６０に保持された氷６４は、停電時に冷蔵空間６を冷却する蓄冷手段の役割を果たす。
【００２２】
（２）動作
次に、本実施形態の冷蔵庫１００の動作について説明する。
【００２３】
上記で説明した冷蔵庫１００の冷却サイクルは次のようにして冷気を発生させる。まず、圧縮機３０で加圧され高温・高圧の気体となった冷媒が、凝縮器で高圧のまま放熱し液化する。その冷媒が絞り装置を通過すると減圧され、沸点が下がる。そして、その冷媒が冷凍用蒸発器２８及び冷蔵用蒸発器２３で気化するとともに吸熱することによって、冷凍用蒸発器２８及び冷蔵用蒸発器２３の周辺に冷気が発生する。
【００２４】
前記の冷却サイクルを長時間連続して稼働すると、冷凍用蒸発器２８や冷蔵用蒸発器２３に着霜し、冷却機能が低下するおそれが生じる。そこで冷却装置を停止して霜を取る除霜を次のようにして実施する。
【００２５】
冷凍用蒸発器２８の除霜前後の経過時間に対する冷凍空間７の温度、冷蔵空間６の温度、圧縮機３０の回転数の変化を図２に示す。まず、除霜ヒータ３３に通電する前に、圧縮機３０の回転数を通常よりも上げて冷凍空間７を冷却する冷却サイクルを稼働し、冷凍空間７の温度を通常の設定温度よりも低くする。これは、次に述べる除霜による冷凍空間７の温度上昇をできるだけ抑えるために行うものである。
【００２６】
次に、圧縮機３０を停止し、除霜ヒータ３３に通電し、発生した熱で冷凍用蒸発器２８に付着した霜を溶かして取る。その間、圧縮機３０を停止して冷却サイクルを停止したことと除霜ヒータ３３を加熱したことの影響により、冷凍空間７と冷蔵空間６の温度が上昇する。
【００２７】
除霜ヒータ３３への通電が終わると、圧縮機３０を通常よりも高い回転数で稼働し、冷凍空間７及び冷蔵空間６を冷却する冷却サイクルを稼働し、冷凍空間７と冷蔵空間６の温度を下げる。冷蔵用蒸発器２３の除霜を行う場合も同様に、まず冷蔵空間６を冷却し、次に冷蔵用蒸発器２３の霜を取り、最後に冷凍空間７と冷蔵空間６を冷却する。
【００２８】
このように除霜の際には除霜ヒータ３２、３３に通電したり圧縮機の回転数を上げたりするため、通常の運転時よりも電力を多く消費する。
【００２９】
製氷装置５０は次のようにして製氷する。まず、所定量の水が、給水ポンプ５３から製氷皿５２に給水され、冷却されて氷６４となる。製氷皿５２には温度センサが設けられ、該センサにより氷６４が完成したことが検出される。すると、製氷皿５２が１８０度回転し、氷６４が製氷室１６内へ落下する。氷６４が落下した後は製氷皿５２が１８０度回転し、再び製氷皿５２内へ水が供給される。製氷室１６には氷６４の量を検出するセンサが設けられている。製氷室１６が満氷になると、そのことを検出したセンサから後述する制御部３９に信号が送られ、制御部３９の指示により製氷皿５２の回転が行われなくなり、製氷が止まる。製氷皿５２の回転は一定時間間隔で行われるため、一定数の氷が一定時間間隔で製氷される。
【００３０】
（３）除霜運転の制御方法
次に、本実施形態の冷蔵庫１００における除霜運転について説明する。
【００３１】
本実施形態の冷蔵庫１００は、電力ピーク時間帯を除く時間帯に除霜を実施し、電力ピーク時間帯に除霜を実施しない。より詳細には、圧縮機３０の積算稼働時間が一定時間となった場合に除霜が開始されることを原則とするが、電力ピーク時間帯には圧縮機３０の積算稼働時間が一定時間となっても除霜が開始されない。その実施方法を図４のフローチャートを用いて説明する。事前に制御部３９に電力ピーク時間帯、例えば１０〜１７時の時間帯が記憶されている。
【００３２】
まず、圧縮機３０が稼働を開始すると、制御部３９が稼働時間の積算を開始する（Ｓ１）。そして、圧縮機３０の積算稼働時間が一定時間となった時に（Ｓ２のＹｅｓ）、計時部４３から制御部３９へ伝達される時刻が電力ピーク時間帯から外れていれば（Ｓ３のＮｏ）、制御部３９が除霜を実施し（Ｓ４）、除霜が完了したら積算時間をリセットする（Ｓ５）。一方、圧縮機３０の積算稼働時間が一定時間となった時に（Ｓ２のＹｅｓ）、計時部４３から制御部３９へ伝達される時刻が電力ピーク時間帯に入っている場合は、制御部３９はすぐには除霜を開始せず（Ｓ６）、計時部４３から制御部３９へ伝達される時刻が電力ピーク時間帯を経過したら（Ｓ７のＹｅｓ）、除霜を実施し（Ｓ４）、除霜が完了したら積算時間をリセットする（Ｓ５）。
【００３３】
ここで、電力ピーク時間帯は、冷蔵庫１００の製造段階で制御部３９に記憶されていても良いし、使用者が操作パネル４１で入力して決めても良い。電力ピーク時間帯は、時代、季節、地域等によって変化することも考えられるが、冷蔵庫１００の使用者が除霜を開始すべき時刻を操作パネル４１で入力して決めることができると、これらの変化に対応することができる。
【００３４】
（４）製氷運転の制御方法
次に、本実施形態の冷蔵庫１００における製氷運転について説明する。
【００３５】
本実施形態の冷蔵庫１００は、製氷を計時部４３が計時する時刻に基づき制御し、電力ピーク時間帯が始まる前に、通常の運転時より多くの氷６４を製造する。これは、製氷の時間間隔を通常の一定時間間隔よりも短くすることにより実現される。事前に電力ピーク時間帯を制御部３９に記憶させる。この時間帯は、冷蔵庫１００の製造段階で記憶されていても良いし、使用者が操作パネル４１で入力することにより記憶させても良い。そして計時部４３から伝達される時刻がその時間帯が近づいた時、例えば１０時の２時間前の８時になった時、制御部３９が圧縮機３０の回転数を上げる。すると冷却装置が高速で稼働するため製氷室１６の温度が下がる。そのため製氷皿５２内の水が短時間で氷６４となる。氷６４が短時間で完成するため、制御部３９は、製氷皿５２の回転の時間間隔を短くする。これにより、製氷室１６には、通常の時間間隔よりも短い時間間隔で、新たに製氷された氷６４が落下する。一般的な家庭用冷蔵庫の製氷装置の製氷能力は２時間に１０個程度であるが、制御部３９による以上の制御を行った場合の製氷能力は１時間に１０個程度であり、倍の数の氷６４を製造することができる。
【００３６】
その後電力ピーク時間帯に入った後も、製氷室１６が満氷とならない限り、継続して製氷装置５０で製氷することが望ましい。
【００３７】
そして、万が一停電となった場合には、上記で説明したように製氷した氷６４を製氷室１６から出して、冷蔵空間６内の棚６０に入れ、蓄冷手段として用いる。
【００３８】
（５）除霜運転、製氷運転以外の制御方法
次に、除霜運転、製氷運転以外の制御方法について順番に説明する。
【００３９】
まず本実施形態では、制御部３９は、時間帯にかかわらずミスト発生装置がミストを発生させる。その場合は電力ピーク時間帯もミスト発生装置の稼働が継続される。
【００４０】
また、制御部３９は、操作パネル４１のパネル照明を、一般に使用者が睡眠を取る深夜時間帯、例えば１〜５時の間、消灯させる。具体的には、計時部４３の時刻が例えば１時となった時、制御部３９がパネル照明を消灯する。そして、計時部４３の時刻が例えば５時となった時、制御部３９がパネル照明を点灯する。
【００４１】
また、制御部３９は、庫外照明３５を一般に使用者が睡眠を取る深夜時間帯、例えば１〜５時の間、点灯させ、それ以外の時間帯は消灯させる。具体的には、計時部４３の時刻が深夜、例えば１時となった時、制御部３９がＬＥＤ基板３４を制御し、庫外照明３５を点灯させる。そして、計時部４３の時刻が朝方、例えば５時となった時、制御部３９がＬＥＤ基板３４を制御し、庫外照明３５を消灯させる。
【００４２】
なお、パネル照明を消灯する深夜時間帯と庫外照明３５を点灯する深夜時間帯は、異なる時間帯であっても良い。
【００４３】
（６）効果
以上の冷蔵庫１００によれば、電力ピーク時間帯に除霜を回避するため、この時間帯の消費電力を抑えることができる。
【００４４】
また、電力ピーク時間帯が始まる前に大量の氷６４を製造するため、計画停電や大規模停電となった場合に、製氷室１６の氷６４を様々な用途に用いることができる。例えば、飲み物に入れる等という通常の用途に用いることもできるし、物を冷やしたいときに、その物を冷蔵庫１００に入れて冷やす代わりに氷６４を当てて冷やすこともできる。さらに、氷６４を蓄冷手段として冷蔵空間６内の棚６０に載せることにより、氷６４により冷蔵空間６内の空気が冷却され、冷蔵空間６内の温度を冷蔵温度に保つことができる。また停電にならない場合であっても、電力ピーク時間帯の前に製氷室１６を満氷にしておくことにより、電力ピーク時間帯に製氷装置５０が稼働することを抑え、その時間帯の節電に貢献することができる。
【００４５】
また、電力ピーク時間帯に入った後も、製氷室１６が満氷とならない限り、継続して製氷装置５０で製氷を継続すれば、万が一停電となった場合に備えて更に大量の氷６４を準備することができる。
【００４６】
また、電力ピーク時間帯もミスト発生装置の稼働を継続すれば、停電となって冷却サイクルが停止し冷蔵空間６内の温度が上昇したとしても、冷蔵空間６内の食品が傷むことを防ぐことができる。
【００４７】
また、冷蔵庫１００が使用されない深夜時間帯はパネル照明を点灯しておいても電力の無駄であるが、深夜時間帯にパネル照明を消灯すれば、電力の無駄を無くすことができる。
【００４８】
また、庫外照明３５を深夜時間帯に点灯すれば、庫外照明３５が常夜灯の役割を果たし、例えば深夜に目を覚ました使用者が冷蔵庫１００の中の物を出したいと考えた時に、暗闇の中で物にぶつかることなく冷蔵庫１００に辿り着くことができる。
【００４９】
（７）変更例
（変更例１）
上記の実施形態の変更例１について説明する。
【００５０】
変更例１では、圧縮機３０の積算稼働時間とは無関係に、特定の時刻に除霜を行う。これによっても電力ピーク時間帯を除く時間帯に除霜を実施することができる。この方法では、事前に制御部３９に除霜を開始すべき時刻が記憶されている。そして、計時部４３から制御部３９へ伝達される時刻が除霜を開始すべき時刻と一致すると、そのことを認識した制御部３９によって、圧縮機３０の回転数や除霜ヒータ３３への通電が制御され、前記の要領で除霜が実施される。ここで、除霜を開始すべき時刻は、電力ピーク時間帯を除く時間帯の時刻とする。例えば昼間の１０〜１７時が電力ピーク時間帯となるのであれば、その時間帯を除いた１７時〜翌日１０時の時間帯のいずれかの時刻とする。外気温が１日のうちで特に低い時間帯、例えば２〜６時の時間帯は、低い外気温の影響により、除霜による冷蔵庫１００内の温度上昇を抑えることができ、その結果、上昇した冷蔵庫１００内の温度を元に戻すために消費する電力も少なく済む。そのため、除霜を開始すべき時刻は、この時間帯の時刻であるとなお良い。除霜を開始すべき時刻は、冷蔵庫１００の製造段階で記憶されていても良いし、使用者が操作パネル４１で入力して決めても良い。電力ピーク時間帯は、時代、季節、地域等によって変化することも考えられる。そのため、使用者が除霜を開始すべき時刻を操作パネル４１で入力して決めることができると、これらの変化に対応することができて良い。
【００５１】
（変更例２）
上記の実施形態では、電力ピーク時間帯が始まる前に通常の運転時より多くの氷６４を製氷した後、電力ピーク時間帯にも製氷を継続するが、電力ピーク時間帯には製氷を止め、電力消費を抑えることに貢献しても良い。
【００５２】
また、電力ピーク時間帯が始まる前に通常の運転時より多くの氷６４を製氷する制御を行わず、電力ピーク時間帯に入る前も通常の運転時と同様の製氷を続け、電力ピーク時間帯に入った後も製氷室１６が満氷となるまで通常の運転時と同様の製氷を続けても良い。このようにしても停電に備えて氷６４を準備することができる。また電力ピーク時間帯が始まる前に通常の運転時より多くの氷６４を製氷する制御を行わなければ、電力ピーク時間帯が始まる前の消費電力を抑えることができる。
【００５３】
（変更例３）
上記の実施形態では、蓄冷手段として氷６４を用いたが、氷６４に加えて、又は、氷６４の代わりに、保冷剤を用いることもできる。保冷剤は、水、増粘材、防腐剤、顔料等からなるゲル状の薬剤を箱状容器や小袋に詰めたものである。保冷剤を低温下に保持して内容物の薬剤を凝固させ、その後薬剤の融点より高い温度環境下に置く。すると蓄冷手段は温度上昇しながら周囲の物を冷やす。特に薬剤の融点においては、薬剤の融解潜熱に相当する熱量を周囲から奪い、長時間に亘って周囲の物を融点近くの温度に保持する。通常時は冷凍空間７で保冷剤を冷却しておき、停電の際に冷蔵空間６の棚６０へ移動させる。
【００５４】
（変更例４）
上記の実施形態では、蓄冷手段を冷凍空間７で冷却しておくが、棚６０に常に保持しておいても良い。図５に保冷剤が充填された箱状容器６３が棚６０に常設されている様子を示す。この場合も、蓄冷手段は冷蔵空間６の設定温度まで冷却されているため、冷蔵空間６の温度が上昇し始める時にこれを抑える役割を果たす。この場合は、蓄冷手段を冷凍空間７から冷蔵空間６へ移す手間が不要である。また、移すために冷凍室扉１８や冷蔵室扉８を開く必要が無いため冷蔵空間６内や冷凍空間７内の空気が漏れて庫内の温度が上昇することを防ぐことができる。
【００５５】
（変更例５）
上記の実施形態では、パネル照明を深夜時間帯に消灯するが、実際の使用者が睡眠を取る時間帯は使用者の生活スタイルによって異なるため、パネル照明を消灯する時間帯は深夜時間帯に限定されるものではなく、例えば昼間であっても良い。またパネル照明を消灯する時間帯を使用者が操作パネルで入力して決めることができるようにしても良い。
【００５６】
（変更例６）
上記の実施形態の冷蔵庫１００は蒸発器を２つ備えるが、１つしか備えない冷蔵庫であっても良い。その場合、１つの蒸発器で発生させた冷気を冷凍空間７及び冷蔵空間１０の両方へ送る。
【００５７】
（変更例７）
以上の実施形態は例示であり、発明の範囲はこれに限定されない。以上の実施形態は、その他の様々な形態で実施されることが可能であり、発明の要旨を逸脱しない範囲で、種々の省略、置換、変更を行うことができる。以上の実施形態やその変形は、特許請求の範囲に記載された発明とその均等の範囲に含まれるものである。
【符号の説明】
【００５８】
１・・・冷蔵庫本体、５・・・仕切壁、６・・・冷蔵空間、７・・・冷凍空間、８・・・冷蔵室扉、９・・・載置棚、１０・・・冷蔵室、１６・・・製氷室、１７・・・冷凍室、１８・・・冷凍室扉、１９・・・製氷室扉、２２・・・冷蔵用蒸発器室、２３・・・冷蔵用蒸発器、２４・・・冷蔵用ファン、２７・・・冷凍用蒸発器室、２８・・・冷凍用蒸発器、２９・・・冷凍用ファン、３０・・・圧縮機、３２・・・除霜ヒータ、３３・・・除霜ヒータ、３４・・・ＬＥＤ基板、３５・・・庫外照明、３８・・・操作部、３９・・・制御部、４１・・・操作パネル、４２・・・操作ボタン、４３・・・計時部、４４・・・電池、５０・・・製氷装置、５１・・・給水タンク、５２・・・製氷皿、５３・・・給水ポンプ、６０・・・棚、６１・・・突起、６２・・・保持プレート、６３・・・箱状容器、６４・・・氷、１００・・・冷蔵庫
【図１】
2014037919.tif 000003
【図２】
2014037919.tif 000004
【図３】
2014037919.tif 000005
【図４】
2014037919.tif 000006
【図５】
2014037919.tif 000007